(57)【要約】洗濯機（１００）は、洗濯物を洗濯する。洗濯機（１００）は、操作表示部（３）と、第１表示部（３２）と、第２表示部（４２）とを備える。操作表示部（３）は、洗濯機（１００）に対する指示を受け付ける。第１表示部（３２）は、第１機器（５１）に関する情報を表示する。第２表示部（４２）は、第２機器（５２）に関する情報を表示する。第１表示部（３２）が、操作表示部（３）の設置場所から離間した場所に設置される。
2019225092.tif 000002
【特許請求の範囲】
【請求項１】
洗濯物を洗濯する洗濯機であって、
前記洗濯機に対する指示を受け付ける操作表示部と、
外部機器に関する情報を表示する外部機器表示部と
を備え、
前記外部機器表示部が、前記操作表示部の設置場所から離間した場所に設置される、洗濯機。
【請求項２】
前記外部機器表示部が、前記洗濯機の外面部に設置される、請求項１に記載の洗濯機。
【請求項３】
前記外部機器に含まれる第１機器を収容可能な収容部をさらに備え、
前記外部機器表示部は、第１表示部を含み、
前記第１表示部は、前記第１機器に関する情報を表示する、
請求項１又は請求項２に記載の洗濯機。
【請求項４】
前記第１機器が前記収容部に収容されているか否かを検知する検知部をさらに備え、
前記第１表示部は、前記第１機器が前記収容部に収容されているか否かを示す収容情報を表示する、請求項３に記載の洗濯機。
【請求項５】
前記第１機器を充電する充電部をさらに備え、
前記第１表示部は、前記第１機器に対する充電状況を示す充電情報を表示する、請求項３又は請求項４に記載の洗濯機。
【請求項６】
前記収容部に設けられる接続部をさらに備え、
前記第１機器が前記収容部に収容されると、前記充電部が前記接続部を介して前記第１機器を充電する、請求項５に記載の洗濯機。
【請求項７】
洗濯物を収容可能な洗濯槽と、
前記洗濯槽を収容する筐体と、
前記筐体に回転可能に取り付けられる開閉部と
をさらに備え、
前記収容部が前記筐体に設置され、
前記第１表示部が前記開閉部に設置される、請求項３から請求項６のいずれか１項に記載の洗濯機。
【請求項８】
前記開閉部が閉状態のとき、前記第１表示部が前記開閉部を介して前記収容部と対向する、請求項７に記載の洗濯機。
【請求項９】
前記第１表示部が前記収容部の近傍に設置される、請求項３から請求項８のいずれか１項に記載の洗濯機。
【請求項１０】
前記外部機器に含まれる第２機器と通信する通信部をさらに備え、
前記外部機器表示部は、第２表示部を含み、
前記第２表示部は、前記通信部と前記第２機器との通信状況を示す通信情報を表示する、請求項１から請求項９のいずれか１項に記載の洗濯機。
【発明の詳細な説明】
【技術分野】
【０００１】
本発明は、洗濯機に関する。
【背景技術】
【０００２】
特許文献１に記載の洗濯機は、本体と、水槽と、回転ドラムと、蓋体とを備える。本体は、前面に洗濯物を出し入れする開口部を有する。水槽は、本体内に揺動自在に支持される。回転ドラムは、水槽に内包される。蓋体は、本体の開口部を開閉自在に覆う。蓋体の上面には、操作表示部が配置される。操作表示部は、入力手段及び表示手段を有する。
【先行技術文献】
【特許文献】
【０００３】
【特許文献１】特開２０１７−０５１２１６号公報
【発明の概要】
【発明が解決しようとする課題】
【０００４】
近年、本来の洗濯機の機能とは別の機能を持つ外部機器（通信機能を持つＷｉ−Ｆｉアダプタや、風呂水ポンプや洗濯補助機器など）が洗濯機に接続される事が多くなってきている。通常、操作表示部の表示手段には、洗濯機情報のみならず、外部機器情報も表示される。洗濯機情報は、洗濯機に関する情報を示す。外部機器情報は、洗濯機とは別体の外部機器に関する情報を示す。【０００５】
しかし、操作表示部の表示手段に洗濯機情報のみならず、外部機器情報も表示されると、操作表示部の設置場所で、種類の異なる複数の情報が表示される。従って、操作表示部の設置場所で、外部機器情報が表示されても、表示部に洗濯機情報が表示されているとユーザーが容易に判断できない可能性があった。また、一般的な洗濯機では、操作表示部の設置場所には洗濯機情報が表示される。従って、操作表示部の設置場所で、外部機器情報が表示されても、洗濯機情報が表示されているとユーザーが先入観で判断する可能性があった。【０００６】
本発明は、洗濯機の出力する情報が、外部機器に関する情報であることをユーザーが容易に判断することができる洗濯機を提供することを目的としている。
【課題を解決するための手段】
【０００７】
本発明の第１の局面によれば、洗濯機は、洗濯物を洗濯する。洗濯機は、操作表示部と、外部機器表示部とを備える。操作表示部は、前記洗濯機に対する指示を受け付ける。外部機器表示部は、外部機器に関する情報を表示する。前記外部機器表示部が、前記操作表示部の設置場所から離間した場所に設置される。
【発明の効果】
【０００８】
本発明によれば、洗濯機の出力する情報が、外部機器に関する情報であることをユーザーが容易に判断することができる。
【図面の簡単な説明】
【０００９】
【図１】本発明の第１実施形態に係る洗濯機の斜視図である。
【図２】ドアが開状態の洗濯機を示す斜視図である。
【図３】収容部に第１機器が収容された状態を示す洗濯機の斜視図である。
【図４】洗濯機のブロック図である。
【図５】第１表示ユニットが設置されたドアの断面図である。
【図６】（ａ）は、洗濯機の第１の正面図である。（ｂ）は、第２表示部の第１の拡大図である。
【図７】（ａ）は、洗濯機の第２の正面図である。（ｂ）は、第２表示部の第２の拡大図である。
【図８】（ａ）は、洗濯機の第３の正面図である。（ｂ）は、第２表示部の第２の拡大図である。
【図９】第１表示部が表示する情報を示す表である。
【図１０】第２表示部が表示する情報を示す表である。
【発明を実施するための形態】
【００１０】
本発明の第１実施形態について、図面を参照しながら説明する。なお、図中、同一又は相当部分については同一の参照符号を付して説明を繰り返さない。
【００１１】
図１及び図２を参照して、本発明の第１実施形態に係る洗濯機１００について説明する。図１は、洗濯機１００の斜視図である。
【００１２】
図１に示すように、洗濯機１００は、筐体１と、ドア２と、操作表示部３と、給水ホース接続部４と、排水ホース接続部５とを備える。
【００１３】
以下では、ユーザーが通常の姿勢で操作表示部３を操作するときの洗濯機１００に対するユーザーの位置を前方として、前後左右方向、及び上下方向を規定する。
【００１４】
筐体１は、中空の略四角柱形状を有する。筐体１は、前面部１ａと、背面部１ｂと、一対の側面部１ｃと、天井面部１ｄとを有する。前面部１ａは、背面部１ｂの前方に位置する。一対の側面部１ｃは、左右方向に互いに間隔を空けて配置される。一対の側面部１ｃのうちの１つは、前面部１ａの左側部と、背面部１ｂの左側部とに連設される。一対の側面部１ｃのうちの他の１つは、前面部１ａの右側部と、背面部１ｂの右側部とに連設される。天井面部１ｄは、前面部１ａの上部と、背面部１ｂの上部と、一対の側面部１ｃの上部とに連設される。
【００１５】
ドア２は、略板状の部材である。ドア２は、筐体１に回転可能に取り付けられる。ドア２は、前面部１ａの前部に設置される。
【００１６】
ドア２は、本発明の開閉部の一例である。
【００１７】
図１及び図２を参照して、ドア２について説明する。図１において、洗濯機１００のドア２が閉状態Ａである。閉状態Ａは、ドア２が閉じた状態を示す。図２において、洗濯機１００のドア２が開状態Ｂである。開状態Ｂは、ドア２が開いた状態を示す。
【００１８】
図１及び図２に示すように、ドア２は、第１ドア部２１と、第２ドア部２２とを有する。第１ドア部２１は、上下方向に略沿って延びる。第１ドア部２１の上部には、第２ドア部２２が連設される。第２ドア部２２は、第１ドア部２１の上部から筐体１側へ傾斜する。
【００１９】
第１ドア部２１は、第１表面部２１ａと、第１裏面部２１ｂとを有する。
【００２０】
第１表面部２１ａと、第１裏面部２１ｂとは、略板状の部材である。第１表面部２１ａの裏側には、第１裏面部２１ｂが位置する。ドア２が閉状態Ａのとき、第１表面部２１ａは前方を向く。ドア２が閉状態Ａのとき、第１裏面部２１ｂは後方を向く。
【００２１】
ドア２が閉状態Ａのとき、ドア２は筐体１に対して前方から対向する。詳細には、ドア２が閉状態Ａのとき、ドア２の第１裏面部２１ｂは筐体１の前面部１ａと対向する。
【００２２】
ドア２の第１表面部２１ａには、第１表示部３２が設置される。第１表示部３２の説明は後述する。
【００２３】
第２ドア部２２は、第２表面部２２ａと、第２裏面部２２ｂとを有する。
【００２４】
第２表面部２２ａと、第２裏面部２２ｂとは、略板状の部材である。第２表面部２２ａの裏側には、第２裏面部２２ｂが位置する。ドア２が閉状態Ａのとき、第２表面部２２ａは前上方を向く。ドア２が閉状態Ａのとき、第２裏面部２２ｂは後下方を向く。
【００２５】
操作表示部３は、洗濯機１００に対する指示を受け付ける。洗濯機１００に対する指示は、例えば、洗濯機１００が有する機能を使用するための指示である。操作表示部３は、例えば、操作キーのような洗濯機１００に対する指示が入力される洗濯機操作部を含む。ユーザーは、操作表示部３を介して、洗濯機１００に対して、例えば、洗い運転、すすぎ運転、脱水運転、及び乾燥運転のような動作を指示する。
【００２６】
また、操作表示部３には、洗濯機１００に関する情報を表示する洗濯機情報表示部が含まれる。洗濯機情報表示部は、洗濯機操作部の周囲に設置される。
【００２７】
洗濯機１００に関する情報は、例えば、洗濯機１００の動作にエラーが発生したことを示す情報、洗濯機１００が稼働中であることを示す情報、洗濯機１００の運転内容を示す情報、洗濯機操作部を介して入力された洗濯機１００に対する指示内容を示す情報、及び洗濯機１００が待機中であることを示す情報のような洗濯機１００の動作状況を示す情報を含む。
【００２８】
操作表示部３は、ドア２に設置される。第１実施形態では、操作表示部３は、第２ドア部２２の第２表面部２２ａに設置される。第２表面部２２ａは前上方を向いているので、ユーザーは操作表示部３を視認しやすくなる。その結果、ユーザーは、操作表示部３を容易に操作することができる。なお、操作表示部３が設置される場所は、特に限定されない。第２実施形態では、操作表示部３は、筐体１に設置されてもよい。
【００２９】
給水ホース接続部４には、給水ホース（不図示）が接続可能である。給水ホースは水栓に接続される。筐体１の内部には、給水ホースを介して、洗い運転、及びすすぎ運転のような洗濯運転時に使う水を供給される。
【００３０】
筐体１の内部は、前面部１ａと、背面部１ｂと、一対の側面部１ｃと、天井面部１ｄとで囲まれた空間を示す。
【００３１】
排水ホース接続部５には、排水ホース（不図示）が接続可能である。洗濯機１００は、給水ホースを介して、洗濯運転で使われた水を筐体１の外部に排出する。
【００３２】
洗濯機１００は、ヒンジ機構６をさらに備える。ヒンジ機構６は、筐体１に対してドア２を回転可能に支持する。ヒンジ機構６は、筐体１とドア２との間に介在する。
【００３３】
ドア２は、ドア２を閉状態Ａにするためのロック爪２３を有する。また、筐体１側にはロック爪２３と係合するドアロック１０を有している。
【００３４】
ロック爪２３がドアロック１０に入り、係合すると、ドア２が閉状態Ａになる。運転時にはドアロック１０によりロック爪２３が保持され、ドア開できない状態となる。また、ロック解除時にロック爪２３がドアロック１０から離間すると、ドア２が閉状態Ａから開状態Ｂになる。
【００３５】
洗濯機１００は、収容部７をさらに備える。
【００３６】
収容部７には、第１機器５１を収容可能である。第１機器５１は、洗濯機１００とは別体である。第１機器５１は、例えば、超音波を利用して衣類を洗浄する超音波ウォッシャー（登録商標）のような携帯型の洗濯機器である。なお、第１機器５１は、収容部７に収容可能な物体であればよく、携帯型の洗濯機器に限定されない。
【００３７】
収容部７は、筐体１に形成される。第１実施形態では、収容部７は、前面部１ａに形成される。収容部７は、凹部７ａを有する。凹部７ａは、筐体１の外面部に形成された開口部から筐体１の内部側に凹んだ形状を有する。第１機器５１が収容部７に収容されることは、第１機器５１が凹部７ａに配置されることを示す。
【００３８】
第１機器５１は、本発明の外部機器の一例である。外部機器は、例えば、通常の洗濯機能とは別の機能、又は補助的機能を有する。
【００３９】
ドア２が閉状態Ａのとき、ドア２が収容部７に対して前方から対向する。
【００４０】
洗濯機１００は、開口部８と、回転ドラム９と、水槽（不図示）とをさらに備える。
【００４１】
開口部８は、筐体１の内部と筐体１の外部とを連通する。開口部８は、筐体１に形成される。第１実施形態では、開口部８は、前面部１ａに形成される。ドア２が閉状態Ａのとき、ドア２が開口部８に対向する。その結果、ドア２が閉状態Ａのとき、開口部８がドア２で閉塞される。
【００４２】
回転ドラム９と、水槽とは、筐体１の内部に配置される。
【００４３】
回転ドラム９には、洗濯物を収容可能である。回転ドラム９は、回転可能に支持される。回転ドラム９は、回転ドラム９は、開口部８に連通する。回転ドラム９は、本発明の洗濯槽の一例である。水槽は、回転ドラム９の外側に配置される。
【００４４】
洗濯物は、開口部８を介して回転ドラム９内に出し入れされる。回転ドラム９内に洗濯物、水、及び洗剤が収容された状態で、回転ドラム９が回転することで、洗濯物が洗濯される。
【００４５】
次に、図３を参照して、洗濯機１００についてさらに説明する。図３は、収容部７に第１機器５１が収容された状態を示す洗濯機１００の斜視図である。
【００４６】
図３に示すように、収容部７には、第１機器５１が収容されている。収容部７に第１機器５１が収容された状態において、第１機器５１が前面部１ａよりも後方に位置する。その結果、収容部７に第１機器５１が収容された状態において、ドア２は、第１機器５１と干渉することなく、閉状態Ａ（図１参照）になることができる。
【００４７】
収容部７に第１機器５１が収容された状態で、ドア２が閉状態Ａになると、ドア２が第１機器５１に対して前方から対向する。従って、第１機器５１がドア２で覆われる。その結果、ユーザーは、ドア２により第１機器５１を視認することができない（図１参照）。
【００４８】
次に、図１、図４、及び図５を参照して、洗濯機１００についてさらに説明する。図４は、洗濯機１００のブロック図である。
【００４９】
図１、及び図４に示すように、洗濯機１００は、充電部１１と、接続部１２と、検知部１３とをさらに備える。
【００５０】
充電部１１は、第１機器５１を充電するための充電電流を出力する。充電部１１は、例えば、洗濯機１００に供給された商用電源電圧から充電電流を生成する回路を含む。
【００５１】
接続部１２は、導電性を有する端子である。接続部１２は、収容部７に設けられる。接続部１２は、充電部１１と接続される。なお、第３実施形態では、第１機器５１は充電部１１から非接触充電で給電されてもよい。この場合、接続部１２は存在していない。
【００５２】
第１機器５１が収容部７に収容されると（図３参照）、第１機器５１が接続部１２に接触する。第１機器５１が接続部１２に接触すると、充電部１１が接続部１２を介して第１機器５１を充電する。詳細には、充電部１１は、第１機器５１に搭載されるバッテリを充電する。
【００５３】
検知部１３は、第１機器５１が収容部７に収容されているか否かを検知するセンサである。検知部１３は、例えば、タッチセンサである。検知部１３は、収容部７に設けられる。
【００５４】
例えば、収容部７に、第１機器５１が収容されると、第１機器５１が検知部１３に直接又は間接に接触する。その結果、第１機器５１が収容部７に収容されていることを検知部１３が検知する。これに対し、収容部７から第１機器５１が取り除かれると、検知部１３に対する第１機器５１の接触が解除される。その結果、第１機器５１が収容部７に収容されていないことを検知部１３が検知する。
【００５５】
洗濯機１００は、通信部１４をさらに備える。
【００５６】
通信部１４は、第２機器５２と通信するためのデバイスである。通信部１４は、例えば、筐体１の内部に設けられる。通信部１４は、同じ通信方式（プロトコル）を利用する通信機が搭載された電子機器との間で通信が可能である。第１実施形態において、通信部１４は、ＬＡＮ（Ｌｏｃａｌ  Ａｒｅａ  Ｎｅｔｗｏｒｋ）などのネットワーク網を介して第２機器５２と無線通信する。通信部１４は、例えば、ＬＡＮボードのような通信モジュール（通信機器）である。
【００５７】
第２機器５２は、例えば、スマートフォン、ＰＣ（Ｐｅｒｓｏｎａｌ  Ｃｏｍｐｕｔｅｒ）、及びスマートスピーカーのような無線通信可能な情報端末である。
【００５８】
第２機器５２は、本発明の外部機器の二例である。
【００５９】
洗濯機１００は、第１表示ユニット３０をさらに備える。
【００６０】
図５は、第１表示ユニット３０が設置されたドア２の断面図である。
【００６１】
図４及び図５に示すように、第１表示ユニット３０は、第１光源３１と、第１表示部３２とを有する。
【００６２】
第１光源３１は、光を出射する。第１光源３１は、例えば、ＬＥＤ（Ｌｉｇｈｔ  Ｅｍｉｔｔｉｎｇ  Ｄｉｏｄｅ）である。
【００６３】
第１表示部３２は、本発明の外部機器表示部の一例である。外部機器表示部は、例えば、外部機器が洗濯機に有線、及び無線を問わず接続された際に、その外部機器に関する情報を表示する。
【００６４】
第１表示部３２は、第１機器５１に関する情報を表示する。
【００６５】
第１表示部３２は、第１光源３１を覆う。第１表示部３２は、光を透過する部材である。第１表示部３２は、第１光源３１が出射した光を洗濯機１００の外部に出力する。第１表示部３２は、第１表示部３２は、操作表示部３の下方に配置される。
【００６６】
第１ドア部２１は、第１空間部２１ｃをさらに有する。第１空間部２１ｃは、第１表面部２１ａと第１裏面部２１ｂとの間に位置する空所である。第１表面部２１ａと第１裏面部２１ｂとは、第１空間部２１ｃを介して互いに背向する。第１光源３１は、第１空間部２１ｃに配置される。
【００６７】
第１ドア部２１は、第１孔部２１ｄをさらに有する。第１孔部２１ｄは、第１表面部２１ａに形成される。第１孔部２１ｄは、第１空間部２１ｃと、ドア２の外部とを連通する。第１孔部２１ｄには、第１表示部３２が固定される。
【００６８】
第１光源３１は、第１表示部３２に対向する。ドア２が閉状態Ａのとき、第１光源３１の出射した光は、第１表示部３２を介してドア２の前方に出力される。なお、第１光源３１の位置は、特に限定されない。第１光源３１は、第１表示部３２を介して光を出射できる位置に設置されていればよい。
【００６９】
第１表示部３２は、収容部７の近傍に設置される。
【００７０】
収容部７の近傍は、例えば、収容部７の周辺、収容部７と隣り合う場所、及び収容部７と直接又は間接に対向する場所のうちの少なくとも１つを示す。
【００７１】
第１実施形態では、ドア２が閉状態Ａのとき、第１表示部３２がドア２を介して収容部７と対向する。従って、ドア２が閉状態Ａのとき、第１表示部３２が収容部７の近傍に設置される。
【００７２】
第１表示部３２が収容部７の近傍に設置されることで、収容部７に第１機器５１が収容されると、第１機器５１が第１表示部３２の近傍に位置する。この場合、第１機器５１が第１表示部３２の近傍に位置する状態で、第１表示部３２が情報を表示する。その結果、第１表示部３２が第１機器５１に関する情報を表示していることを、ユーザーが容易に認識することができる。
【００７３】
なお、第１表示部３２は、操作表示部３の設置場所から離間した場所に設置されていればよく、収容部７の近傍に設置されていなくてもよい。第１表示部３２の設置場所を収容部７の近傍に限定しないことで、第１表示部３２の設置場所の自由度を向上させることができる。
【００７４】
以上、図１、図４、及び図５を参照して説明したように、第１表示部３２が、操作表示部３の設置場所から離間した場所に設置される。従って、第１表示部３２が操作表示部３の周囲に設置されない。その結果、洗濯機１００の出力する情報が、第１機器５１に関する情報であることをユーザーが容易に判断することができる。
【００７５】
また、ドア２が閉状態Ａのとき、第１表示部３２がドア２を介して収容部７と対向する。従って、収容部７に第１機器５１が収容された状態で、ドア２が閉状態Ａになった場合（図１参照）、ユーザーは、ドア２が邪魔で第１機器５１を視認することができないが、第１表示部３２を視認することができる。その結果、ユーザーは、第１表示部３２を視認して、第１機器５１に関する情報を取得することができる。
【００７６】
図１及び図４に示すように、洗濯機１００は、第２表示ユニット４０をさらに備える。
【００７７】
第２表示ユニット４０は、第２光源４１と、第２表示部４２とを有する。
【００７８】
第２光源４１は、光を出射する。第２光源４１は、例えば、ＬＥＤ（Ｌｉｇｈｔ  Ｅｍｉｔｔｉｎｇ  Ｄｉｏｄｅ）モジュールである。
【００７９】
第２表示部４２は、本発明の外部機器表示部の二例である。
【００８０】
第２表示部４２は、第２機器５２に関する情報を表示する。
【００８１】
第２表示部４２は、第２光源４１を覆う。第２表示部４２は、光を透過する部材である。第２表示部４２は、第２光源４１が出射した光を洗濯機１００の外部に出力する。
【００８２】
第２表示部４２は、例えば、筐体１の天井面部１ｄに設置される。第１実施形態では、第２表示部４２は、筐体１の天井面部１ｄに設置される。第２表示部４２は、操作表示部３に対して左右方向に間隔を空けて配置される。第２光源４１は、例えば、筐体１の天井面部１ｄの裏側に形成される空間に設置される。
【００８３】
以上、図１、及び図４を参照して説明したように、第２表示部４２が、操作表示部３の設置場所から離間した場所に設置される。従って、第２表示部４２が操作表示部３の周囲に設置されない。その結果、洗濯機１００の出力する情報が、第２機器５２に関する情報であることをユーザーが容易に判断することができる。
【００８４】
図４に示すように、洗濯機１００は、記憶部１５と、制御部１６とをさらに備える。
【００８５】
記憶部１５は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）をさらに含んでもよい。記憶部１５は、制御部１６によって実行される種々のコンピュータープログラムを記憶する。
【００８６】
制御部１６は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御部１６は、洗濯機１００の各要素を制御する。具体的には、制御部１６のプロセッサーは、記憶部１５に記憶されたコンピュータープログラムを実行することにより、操作表示部３と、充電部１１と、検知部１３と、通信部１４と、記憶部１５と、第１表示ユニット３０と、第２表示ユニット４０とを制御する。
【００８７】
次に、図４、図６（ａ）、図７（ａ）、図８（ａ）、及び図９を参照して、第１表示部３２が表示する情報について説明する。
【００８８】
図６（ａ）は、洗濯機１００の第１の正面図である。図７（ａ）は、洗濯機１００の第２の正面図である。図８（ａ）は、洗濯機１００の第３の正面図である。図９は、第１表示部３２が表示する情報を示す表である。
【００８９】
図４に示すように、第１光源３１は、第１表示部３２が表示する情報を生成する第１情報生成部として機能する。制御部１６は、第１光源３１を制御することによって、第１表示部３２が表示する情報を変更する。
【００９０】
図６（ａ）は、第１消灯状態α１の第１表示部３２を示す。第１消灯状態α１は、第１光源３１（図４参照）が消灯している状態を示す。
【００９１】
図６（ａ）及び図９に示すように、第１表示部３２が第１消灯状態α１のとき、第１機器５１が未収用状態であることを示す第１情報を第１表示部３２が表示している。未収用状態は、第１機器５１が収容部７に収容されていない状態を示す（図２参照）。
【００９２】
第１情報は、本発明の第１機器に関する情報の一例である。
【００９３】
収容部７に第１機器５１が収容されていないことを検知部１３が検知すると、第１表示部３２が第１消灯状態α１になるように、制御部１６が第１光源３１を制御する。その結果、未収用状態のとき、第１表示部３２が第１消灯状態α１になる。
【００９４】
図７（ａ）は、第１点灯状態α２の第１表示部３２を示す。第１点灯状態α２は、第１光源３１（図４参照）が点灯している状態を示す。
【００９５】
図７（ａ）及び図９に示すように、第１表示部３２が第１点灯状態α２のとき、第１機器５１が収容状態であり、かつ、第１機器５１が充電状態であることを示す第２情報を第１表示部３２が表示している。収容状態は、第１機器５１が収容部７に収容されている状態を示す（図３参照）。充電状態は、充電部１１（図２参照）が第１機器５１に充電中の状態を示す。
【００９６】
第２情報は、本発明の第１機器に関する情報の二例である。
【００９７】
収容部７に第１機器５１が収容されていることを検知部１３が検知すると共に、充電部１１が第１機器５１を充電していると、第１表示部３２が第１点灯状態α２になるように、制御部１６が第１光源３１を制御する。その結果、収用状態であり、かつ、充電状態のとき、第１表示部３２が第１点灯状態α２になる。
【００９８】
図８（ａ）は、第１点滅状態α３の第１表示部３２を示す。第１点滅状態α３は、第１光源３１（図４参照）が点滅している状態を示す。
【００９９】
図８（ａ）及び図９に示すように、第１表示部３２が第１点滅状態α３のとき、第１機器５１が収容状態であり、かつ、第１機器５１が充電完了状態であることを示す第３情報を第１表示部３２が表示している。充電完了状態は、第１機器５１の充電が完了している状態を示す。
【０１００】
第３情報は、本発明の第１機器に関する情報の三例である。
【０１０１】
収容部７に第１機器５１が収容されていることを検知部１３が検知すると共に、充電部１１が第１機器５１を充電していないと、第１表示部３２が第１点滅状態α３になるように、制御部１６が第１光源３１を制御する。その結果、収用状態であり、かつ、充電完了状態のとき、第１表示部３２が第１点滅状態α３になる。
【０１０２】
以上、図４、及び図６（ａ）から図９を参照して説明したように、第１表示部３２は、第１機器５１が収容部７に収容されているか否かを示す収容情報を表示する。従って、ユーザーは、第１表示部３２を視認して、第１機器５１が収容部７に収容されているか否かを認識することが可能である。
【０１０３】
また、第１表示部３２は、第１機器５１に対する充電状況を示す充電情報を表示する。従って、ユーザーは、第１表示部３２を視認して、第１機器５１が充電中であるか、又は第１機器５１の充電が完了したかを認識することが可能である。
【０１０４】
なお、第１実施形態では、第１表示部３２は、収容情報と通信情報との両方を表示する。しかし、本発明はこれに限定されない。第４実施形態では、第１表示部３２は、収容情報と通信情報とのうちの少なくとも１つを表示してもよい。
【０１０５】
次に、図４、図６（ｂ）、図７（ｂ）、図８（ｂ）、及び図１０を参照して、第２表示部４２が表示する情報について説明する。図６（ｂ）は、第２表示部４２の第１の拡大図である。図７（ｂ）は、第２表示部４２の第２の拡大図である。図８（ｂ）は、第２表示部４２の第３の拡大図である。図１０は、第２表示部４２が表示する情報を示す表である。
【０１０６】
図４に示すように、第２光源４１は、第２表示部４２が表示する情報を生成する第２情報生成部として機能する。制御部１６は、第２光源４１を制御することによって、第２表示部４２が表示する情報を変更する。
【０１０７】
図６（ｂ）は、第２消灯状態β１の第２表示部４２を示す。第２消灯状態β１は、第２光源４１（図４参照）が消灯している状態を示す。
【０１０８】
図６（ｂ）及び図１０に示すように、第２表示部４２が第２消灯状態β１のとき、洗濯機１００と第２機器５２とが非通信状態であることを示す第４情報を第２表示部４２が表示している。非通信状態は、洗濯機１００と第２機器５２との間で通信が行われていない状態を示す（図４参照）。
【０１０９】
第４情報は、本発明の第２機器に関する情報の一例である。
【０１１０】
洗濯機１００の通信部１４が第２機器５２と通信を行っていないとき、第２表示部４２が第２消灯状態β１になるように、制御部１６が第２光源４１を制御する。その結果、非通信状態のとき、第２表示部４２が第２消灯状態β１になる。
【０１１１】
図７（ｂ）は、第２点灯状態β２の第２表示部４２を示す。第２点灯状態β２は、第２光源４１（図４参照）が点灯している状態を示す。
【０１１２】
図７（ｂ）及び図１０に示すように、第２表示部４２が第２点灯状態β２のとき、洗濯機１００と第２機器５２とが通信状態であることを示す第５情報を第２表示部４２が表示している。通信状態は、洗濯機１００と第２機器５２との間で通信が行われている状態を示す（図４参照）。
【０１１３】
第５情報は、本発明の第２機器に関する情報の二例である。
【０１１４】
洗濯機１００の通信部１４が第２機器５２と通信を行っているとき、第２表示部４２が第２点灯状態β２になるように、制御部１６が第２光源４１を制御する。その結果、通信状態のとき、第２表示部４２が第２点灯状態β２になる。
【０１１５】
図８（ｂ）は、第２点滅状態β３の第２表示部４２を示す。第２点滅状態β３は、第２光源４１（図４参照）が点滅している状態を示す。
【０１１６】
図８（ｂ）及び図１０に示すように、第２表示部４２が第２点滅状態β３のとき、洗濯機１００と第２機器５２との通信がエラー状態であることを示す第６情報を第２表示部４２が表示している。エラー状態は、洗濯機１００が第２機器５２と通信不能な状態を示す。
【０１１７】
第６情報は、本発明の第２機器５２に関する情報の三例である。
【０１１８】
洗濯機１００の通信部１４が第２機器５２と通信不能なとき、第２表示部４２が第２点滅状態β３になるように、制御部１６が第２光源４１を制御する。その結果、エラー状態のとき、第２表示部４２が第２点滅状態β３になる。
【０１１９】
以上、図４、図６（ｂ）、図７（ｂ）、図８（ｂ）、及び図１０を参照して説明したように、第２表示部４２は、通信部１４と第２機器５２との通信状況を示す通信情報を表示する。従って、ユーザーは、第２表示部４２を視認して、洗濯機１００と第２機器５２とが通信状態であるか否か、又は、洗濯機１００と第２機器５２との通信がエラー状態であるか否かを認識することが可能である。
【０１２０】
以上、図面（図１〜図１０）を参照しながら本発明の実施形態について説明した。但し、本発明は、上記の実施形態に限られるものではなく、その要旨を逸脱しない範囲で種々の態様において実施することが可能である（例えば、（１）〜（９））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【０１２１】
（１）第１実施形態では、第１表示部３２は、ドア２の第１表面部２１ａに設置される。しかし、本発明はこれに限定されない。第１表示部３２は、洗濯機１００の外面部に設置されればよい。洗濯機１００の外面部は、ドア２が閉状態Ａのときに、洗濯機１００のうち露出している箇所を示す。洗濯機１００の外面部は、例えば、ドア２の第１表面部２１ａ、筐体１の天井面部１ｄ、及び、筐体１の前面部１ａのうちドア２と対向しない箇所のうちの少なくとも１つを示す。第１表示部３２の設置場所をドア２の第１表面部２１ａに限定しないことで、第１表示部３２の設置場所の自由度を向上させることができる。
【０１２２】
（２）第１実施形態では、第２表示部４２は、筐体１の天井面部１ｄに設置される。しかし、本発明はこれに限定されない。第２表示部４２は、洗濯機１００の外面部に設置されればよい。なお、第２表示部４２は、通信部１４の近傍に設置されてもよい。
【０１２３】
（３）第１実施形態の第１機器５１は、充電可能な機器である。しかし、本発明はこれに限定されない。第５実施形態では、第１機器５１は、充電機能を有しない機器であってもよい。この場合、第１表示部３２は、収容情報を表示し、充電情報を表示しない。
【０１２４】
（４）第１実施形態では、収容部７は、前面部１ａに形成される。しかし、本発明はこれに限定されない。収容部７は、洗濯機１００に形成されればよい。収容部７は、例えば、ドア２に形成されてもよい。また、収容部７は、例えば、筐体１の内部に形成されてもよい。また、収容部７は、例えば、筐体１の外面部のうち、閉状態Ａのドア２（図１参照）で覆われない場所に形成されてもよい。
【０１２５】
（５）第１実施形態では、第１表示部３２は、第１光源３１が出射した光を出力する。しかし、本発明はこれに限定されない。第６実施形態では、第１表示部３２を液晶パネルのような画像を表示可能なディスプレイで構成してもよい。この場合、第１表示部３２は、第１機器５１に関する情報を画像で出力する。画像は、例えば、文字の画像、記号の画像、静止画像、及び動画像のうちの少なくとも１つを示す。
【０１２６】
（６）第１実施形態では、第２表示部４２は、第２光源４１が出射した光を出力する。しかし、本発明はこれに限定されない。第７実施形態では、第２表示部４２を液晶パネルのような画像を表示可能なディスプレイで構成してもよい。この場合、第２表示部４２は、第２機器５２に関する情報を画像で出力する。
【０１２７】
（７）第１実施形態の洗濯機１００は、第１表示部３２と第２表示部４２とを備える。しかし、本発明はこれに限定されない。洗濯機１００は、第１表示部３２及び第２表示部４２のうちのいずれかの表示部を備えていてもよい。また、洗濯機１００は、第１表示部３２及び第２表示部４２のような表示部を３つ以上備えていてもよい。
【０１２８】
（８）また、第１表示部３２が第２表示部４２として機能してもよい。この場合、第１表示部３２が第１情報から第６情報を表示する。この場合、例えば、第１光源３１の点灯のバリエーションを６種類用意すればよい。また、第２表示部４２が第１表示部３２として機能してもよい。
【０１２９】
（９）第１実施形態の洗濯機１００は、ドラム式洗濯機である。しかし、本発明はこれに限定されない。第８実施形態では、洗濯機１００は縦型洗濯機でもよい。
【産業上の利用可能性】
【０１３０】
本発明は、洗濯機の分野に利用可能である。
【符号の説明】
【０１３１】
１      筐体
２      ドア（開閉部）
３      操作表示部
７      収容部
９      回転ドラム（洗濯槽）
１１    充電部
１２    接続部
１３    検知部
１４    通信部
３２    第１表示部（表示部）
４２    第２表示部（表示部）
５１    第１機器（外部機器）
５２    第２機器（外部機器）
１００  洗濯機
【図１】
2019225092.tif 000003
【図２】
2019225092.tif 000004
【図３】
2019225092.tif 000005
【図４】
2019225092.tif 000006
【図５】
2019225092.tif 000007
【図６】
2019225092.tif 000008
【図７】
2019225092.tif 000009
【図８】
2019225092.tif 000010
【図９】
2019225092.tif 000011
【図１０】
2019225092.tif 000012
【国際調査報告】
2019225092.tif 000013
2019225092.tif 000014
2019225092.tif 000015
2019225092.tif 000016